(57)【要約】【課題】  暗号情報を取得したユーザのみによって視聴制限を解除することができ、他人は視聴制限の番組を視聴できないようにする。【解決手段】  テレビ受信装置１００は、テレビ放送の符号化情報である音声情報および映像情報を受信するとともに、リモコン又は携帯電話機４００から送信される赤外線信号によってコマンドを受信する。そして、視聴制限の音声情報および映像情報を受信した場合には、携帯電話機４００から当該視聴制限を解除するキー情報のコマンドを受信した場合に、視聴制限の音声情報および映像情報を復号化して出力する。【選択図】      図１
2006173944.tif 000002
【特許請求の範囲】
【請求項１】
テレビ放送の符号化情報を受信する放送受信手段と、
所定の操作手段又は携帯通信端末から送信される無線信号によってコマンドを受信するコマンド受信手段と、
前記放送受信手段によって視聴制限の符号化情報が受信された場合には、前記コマンド受信手段によって前記携帯通信端末から当該視聴制限を解除する暗号情報のコマンドを受信した場合に、当該受信された視聴制限の符号化情報を復号化して出力する復号制御手段と、
を備えたテレビ受信装置。
【請求項２】
テレビ放送の番組を管理する番組管理システムに対してこの装置自体を特定する固有の識別情報および視聴制限の番組を指定する番組情報に対応する暗号情報の取得要求を送信する送信手段をさらに備えたことを特徴とする請求項１に記載のテレビ受信装置。
【請求項３】
前記復号制御手段は、所定の記憶手段に記憶されている視聴制限の符号化情報に対して前記操作手段又は前記携帯通信端末から再生指令を受信したときは、前記コマンド受信手段によって前記携帯通信端末から当該視聴制限を解除する暗号情報のコマンドを受信した場合に、前記記憶手段に記憶されている視聴制限の符号化情報を復号化して出力することを特徴とする請求項１に記載のテレビ受信装置。
【請求項４】
テレビ放送の番組を管理する番組管理システムから視聴制限を解除する暗号情報を受信する受信手段と、
前記受信手段によって前記暗号情報が受信されたときは、テレビ受信装置に対して前記暗号情報を送信する送信手段と、
を備えた携帯通信端末。
【請求項５】
前記受信手段によって受信された前記暗号情報を他の携帯通信端末に転送する転送手段をさらに備えたことを特徴とする請求項４に記載の携帯通信端末。
【請求項６】
テレビ受信装置を特定する固有の識別情報、テレビ放送の視聴制限の番組情報、当該視聴制限を解除する暗号情報の要求、および携帯通信端末のメールアドレス情報を受信した場合には、当該携帯通信端末に対して当該暗号情報を送信するテレビ放送の番組管理システム。
【請求項７】
テレビ放送の符号化情報を受信する第１のステップと、
所定の操作手段又は携帯通信端末から送信される無線信号によってコマンドを受信する第２のステップと、
前記第１のステップによって視聴制限の符号化情報が受信された場合には、前記第２のステップによって前記携帯通信端末から当該視聴制限を解除する暗号情報のコマンドを受信した場合に、当該受信された視聴制限の符号化情報を復号化して出力する第３のステップと、
を実行するテレビ受信装置の制御プログラム。
【請求項８】
テレビ放送の番組を管理する番組管理システムに対してテレビ受信装置自体を特定する固有の識別情報および視聴制限の番組を指定する番組情報に対応する暗号情報の取得要求を送信する第４のステップをさらに実行することを特徴とする請求項７に記載のテレビ受信装置の制御プログラム。
【請求項９】
前記第３のステップは、所定の記憶手段に記憶されている視聴制限の符号化情報に対して前記操作手段又は前記携帯通信端末から再生指令を受信したときは、前記第２のステップによって前記携帯通信端末から当該視聴制限を解除する暗号情報のコマンドを受信した場合に、前記記憶手段に記憶されている視聴制限の符号化情報を復号化して出力することを特徴とする請求項７に記載のテレビ受信装置の制御プログラム。
【請求項１０】
テレビ放送の番組を管理する番組管理システムから視聴制限を解除する暗号情報を受信する第１のステップと、
前記第１のステップによって前記暗号情報が受信されたときは、テレビ受信装置に対して前記暗号情報を送信する第２のステップと、
を実行する携帯通信端末の制御プログラム。
【請求項１１】
前記第１のステップによって前記暗号情報が受信されたときは、他の携帯通信端末に対して前記暗号情報を転送する第３のステップをさらに実行することを特徴とする請求項１０に記載の携帯通信端末の制御プログラム。
【請求項１２】
テレビ受信装置を特定する固有の識別情報、テレビ放送の視聴制限の番組情報、当該視聴制限を解除する暗号情報の要求、および携帯通信端末のメールアドレス情報を受信した場合には、当該携帯通信端末に対して当該暗号情報を送信するテレビ放送の番組管理方法。
【発明の詳細な説明】
【技術分野】
【０００１】
本発明は、地上波ディジタル放送を受信するテレビ受信装置、テレビ放送の受信に利用する携帯通信端末、およびテレビ放送の番組を管理する番組管理システムに関するものである。
【背景技術】
【０００２】
２００３年１２月から一部の地域に放送が開始された地上波ディジタル放送は、急速に放送する地域が拡がっており、当初の予定の２０１１年を待たずに全国放送が実現される可能性が高いと推測されている。地上波ディジタル放送によって、通信衛星によるＣＳディジタル放送や放送衛星によるＢＳディジタル放送と同様に、高品質の映像とオーディオを視聴することができる。地上波ディジタル方式においては、上記他のディジタル方式と同様の映像符号化方式、音声符号化方式、および多重化方式を採用している。多重化方式は、ＭＰＥＧ−２システムのトランスポート・ストリーム（ＴＳ）であり、複数の番組を多重化することができる。トランスポート・ストリームにおいては、各番組は番組特定情報（ＰＳＩ）によって特定されるが、番組特定情報の種類を示すテーブルの中には限定受信テーブル（ＣＡＴ）がある。この限定受信テーブルに基づいて、特定の条件を満たさなければ視聴することができない視聴制限の番組が放送される。視聴制限を解除する方法については多くの提案がなされている。
【０００３】
ある提案では、プリペイドカードの挿入によりこのプリペイドカードから度数データを読み取って、度数データが有効な場合にビデオ放送信号のテレビジョン受像機による受信を可能とし、このテレビジョン受像機のビデオ信号受信終了後に前記度数データからビデオ放送視聴料金のデータを引いて残料金データを求め、この残料金データを前記プリペイドカードに書き込んで、前記プリペイドカードを排出する有料化装置を有するプリペイドカードシステムにおいて、プリペイドカードから読み取られたデータにおける視聴可能なビデオ放送チャンネルと視聴不可のビデオ放送チャンネルとを決めるためのデータにより、前記ビデオ放送信号における視聴不可チャンネルのビデオ放送信号の前記テレビジョン受像機による受信を禁止するビデオ放送視聴禁止手段を備えた構成になっている。（特許文献１参照）
また、ある提案の放送受信装置では、所定の鍵データを少なくとも上位／下位に２分して記憶するＩＣカードから、前記記憶された何れか一の部分の鍵データを読み取り記憶する記憶回路と、前記所定の鍵データの部分鍵データを除いた残余部の鍵データを読み取る読取手段とを有し、前記部分鍵データと前記残余鍵データとから構成される鍵データに基づき番組視聴の許否を判別する構成になっている。（特許文献２参照）
また、ある提案では、パスワードを入力しなければ視聴できない番組を設定するデフォルト設定と少なくとも１つの非デフォルト設定との切り替えが可能であり、電源投入時にはデフォルト設定が有効となり、非デフォルト設定を有効にするための切り替えはその非デフォルト設定に対応するユーザＩＤを入力することにより行われるロックアンドリミット設定制御装置において、非デフォルト設定の設定内容が変更されたときには、上記非デフォルト設定の変更後の設定内容がデフォルト設定の設定内容より厳しいか否かを判定する手段、並びに、上記非デフォルト設定の変更後の設定内容がデフォルト設定の設定内容より厳しいと判定されたときには、全ての非デフォルト設定の設定内容がデフォルト設定の設定内容より厳しい内容とならないように、デフォルト設定の設定内容を自動的に変更させる手段、を備えた構成になっている。（特許文献３参照）
また、ある提案では、視聴年齢制限情報が重畳された放送電波を受信し、視聴年齢制限がある番組については通常は正常に視聴ができないようにしておき、視聴年齢制限がある番組が選局された際に予め定められたパスワードがユーザから入力されたときのみ、当該視聴年齢制限がある番組を正常に視聴できるように放映する機能を備えたテレビ放送受信機において、視聴年齢制限がある特定の番組が選局された際にその番組に対してユーザによるパスワード入力により視聴制限が解除されたときには、当該番組に対して視聴制限が解除されたことおよび当該番組を特定する情報を記憶するための不揮発性の記憶手段、電源が切断された後に電源が再投入されて受信機が初期起動されたときに、現在選局されている番組が視聴年齢制限がある番組であるか否かを判別する手段、現在選局されている番組が視聴年齢制限がある番組である場合には、上記記憶手段の内容に基づいて、当該番組について視聴制限が既に解除されているか否かを判別する判別手段、および当該番組について視聴制限が既に解除されている場合には、当該番組を正常に視聴できるように放映させる手段、を備えた構成になっている。（特許文献４参照）
【特許文献１】特開平４−１４５５９７号公報
【特許文献２】特開平１１−８８８５８号公報
【特許文献３】特開平１０−６６０４９号公報
【特許文献４】特開平１１−１６４２２０号公報
【発明の開示】
【発明が解決しようとする課題】
【０００４】
しかしながら、上記特許文献１および特許文献２のように、カードによって視聴制限を解除する方法では、テレビ受信装置の近くにカードが置かれる可能性が高いので、カードの保有者以外の他人によって視聴制限の番組を容易に視聴できるというおそれが十分にあり得る。また、上記特許文献３および特許文献４の提案のように、パスワードによって視聴制限を解除する方法においても、パスワードを書いたメモなどを他人が見る機会もあり得るので、パスワードを持っていない他人によって視聴制限の番組を容易に視聴できるというおそれが十分にあり得る。
本発明は、このような従来の課題を解決するためのものであり、暗号情報を取得したユーザのみによって視聴制限を解除することができ、他人は視聴制限の番組を視聴できないようにすることを目的とする。
【課題を解決するための手段】
【０００５】
請求項１に記載のテレビ受信装置は、テレビ放送（実施形態においては、地上波ディジタル放送に相当する）の符号化情報（実施形態においては、ＭＰＥＧ−２ＡＡＣの音声符号化方式によって符号化された音声情報、および、ＭＰＥＧ−２ビデオの映像符号化方式によって符号化された映像情報に相当する）を受信する放送受信手段（実施形態においては、図２のチューナ部１および復調部２などに相当する）と、所定の操作手段（実施形態においては、リモコンに相当する）又は携帯通信端末（実施形態においては、図１の携帯電話機４００に相当する）から送信される無線信号によってコマンドを受信するコマンド受信手段（実施形態においては、図２の赤外線受光部１２およびＣＰＵ８に相当する）と、放送受信手段によって視聴制限の符号化情報が受信された場合には、コマンド受信手段によって携帯通信端末から当該視聴制限を解除する暗号情報（実施形態においては、キー情報に相当する）のコマンドを受信した場合に、当該受信された視聴制限の符号化情報を復号化して出力する復号制御手段（実施形態においては、図２の音声・映像デコーダ５およびＣＰＵ８に相当する）と、を備えた構成になっている。
【０００６】
請求項１のテレビ受信装置において、請求項２に記載したように、テレビ放送の番組を管理する番組管理システム（実施形態においては、図１のサーバ３００に相当する）に対してこの装置自体を特定する固有の識別情報（実施形態においては、機種番号に相当する）および視聴制限の番組を指定する番組情報に対応する暗号情報の取得要求を送信する送信手段（実施形態においては、図２のネットワークアダプタ１１およびＣＰＵ８に相当する）をさらに備えた構成にしてもよい。
【０００７】
請求項１のテレビ受信装置において、請求項３に記載したように、復号制御手段は、所定の記憶手段（実施形態においては、図２の録画部３に相当する）に記憶されている視聴制限の符号化情報に対して操作手段又は携帯通信端末から再生指令を受信したときは、コマンド受信手段によって携帯通信端末から当該視聴制限を解除する暗号情報のコマンドを受信した場合に、記憶手段に記憶されている視聴制限の符号化情報を復号化して出力するような構成にしてもよい。
【０００８】
請求項４に記載の携帯通信端末は、テレビ放送の番組を管理する番組管理システム（実施形態においては、図１のサーバ３００に相当する）から視聴制限を解除する暗号情報（実施形態においては、キー情報に相当する）を受信する受信手段（実施形態においては、図１の携帯電話機４００のＣＰＵに相当する）と、受信手段によって暗号情報が受信されたときは、テレビ受信装置に対して暗号情報を送信する送信手段（実施形態においては、図１の携帯電話機４００のＣＰＵおよび赤外線発光部に相当する）と、を備えた構成になっている。
【０００９】
請求項４の携帯通信端末において、請求項５に記載したように、受信手段によって受信された暗号情報を他の携帯通信端末に転送する転送手段（実施形態においては、図１の携帯電話機４００のＣＰＵに相当する）をさらに備えた構成にしてもよい。
【００１０】
請求項６に記載のテレビ放送の番組管理システムは、テレビ受信装置を特定する固有の識別情報（実施形態においては、機種番号に相当する）、テレビ放送の視聴制限の番組情報、当該視聴制限を解除する暗号情報の要求、および携帯通信端末のメールアドレス情報を受信した場合には、当該携帯通信端末に対して当該暗号情報を送信するような構成になっている。
【００１１】
請求項７に記載のテレビ受信装置の制御プログラムは、テレビ放送（実施形態においては、地上波ディジタル放送に相当する）の符号化情報（実施形態においては、ＭＰＥＧ−２ＡＡＣの音声符号化方式によって符号化された音声情報、および、ＭＰＥＧ−２ビデオの映像符号化方式によって符号化された映像情報に相当する）を受信する第１のステップと、所定の操作手段（実施形態においては、リモコンに相当する）又は携帯通信端末（実施形態においては、図１の携帯電話機４００に相当する）から送信される無線信号（実施形態においては、赤外線通信に相当する）によってコマンドを受信する第２のステップと、第１のステップによって視聴制限の符号化情報が受信された場合には、第２のステップによって携帯通信端末から当該視聴制限を解除する暗号情報のコマンドを受信した場合に、当該受信された視聴制限の符号化情報を復号化して出力する第３のステップと、を実行する。
第１のステップないし第３のステップは、実施形態においては、図２のテレビ受信装置１００のＣＰＵ８の処理に相当する。
【００１２】
請求項７のテレビ受信装置の制御プログラムにおいて、請求項８に記載したように、テレビ放送の番組を管理する番組管理システム（実施形態においては、図１のサーバ３００に相当する）に対してテレビ受信装置自体を特定する固有の識別情報（実施形態においては、機種番号に相当する）および視聴制限の番組を指定する番組情報に対応する暗号情報（実施形態においては、キー情報に相当する）の取得要求を送信する第４のステップをさらに実行するような構成にしてもよい。
第４のステップは、実施形態においては、図２のテレビ受信装置１００のＣＰＵ８の処理に相当する。
【００１３】
請求項７のテレビ受信装置の制御プログラムにおいて、請求項９に記載したように、第３のステップは、所定の記憶手段（実施形態においては、図２の録画部３に相当する）に記憶されている視聴制限の符号化情報に対して操作手段又は携帯通信端末から再生指令を受信したときは、第２のステップによって携帯通信端末から当該視聴制限を解除する暗号情報のコマンドを受信した場合に、記憶手段に記憶されている視聴制限の符号化情報を復号化して出力するような構成にしてもよい。
【００１４】
請求項１０に記載の携帯通信端末の制御プログラムは、テレビ放送の番組を管理する番組管理システム（実施形態においては、図１のサーバ３００に相当する）から視聴制限を解除する暗号情報（実施形態においては、キー情報に相当する）を受信する第１のステップと、第１のステップによって暗号情報が受信されたときは、テレビ受信装置に対して暗号情報を送信する第２のステップと、を実行する。
第１のステップおよび第２のステップは、実施形態においては、図１の携帯電話機４００に内蔵されたＣＰＵの処理に相当する。
【００１５】
請求項１０の携帯通信端末の制御プログラムにおいて、請求項１１に記載したように、第１のステップによって暗号情報が受信されたときは、他の携帯通信端末に対して暗号情報を転送する第３のステップをさらに実行するような構成にしてもよい。
第３のステップは、図１の携帯電話機４００に内蔵されたＣＰＵの処理に相当する。
【００１６】
請求項１２に記載のテレビ放送の番組管理方法は、テレビ受信装置を特定する固有の識別情報（実施形態においては、機種番号に相当する）、テレビ放送の視聴制限の番組情報、当該視聴制限を解除する暗号情報（実施形態においては、キー情報に相当する）の要求、および携帯通信端末（実施形態においては、図１の携帯電話機４００に相当する）のメールアドレス情報を受信した場合には、当該携帯通信端末に対して当該暗号情報を送信する。
【発明の効果】
【００１７】
本発明によれば、視聴制限のテレビ放送の番組に対して、暗号情報を取得したユーザのみによって視聴制限を解除することができ、暗号情報を取得していない他人が視聴制限の番組を視聴するのを禁止できるという効果が得られる。
【発明を実施するための最良の形態】
【００１８】
以下、本発明によるテレビ受信装置、テレビ放送の受信に利用する携帯通信端末、およびテレビ放送の番組を管理する番組管理システムの実施形態について、図１ないし図１４を参照して説明する。
図１は、全体のシステム構成を示す図である。テレビ受信装置１００は、放送局からテレビ放送を受信するとともに、インターネット２００を介して、テレビ放送の番組を管理するサーバ３００に接続される。携帯電話機４００は、インターネット２００を介してサーバ３００と通信を行うとともに、テレビ受信装置１００に対して赤外線によってコマンドを送信する。
図２は、テレビ受信装置１００の内部構成を示すブロック図である。このテレビ受信装置は、放送信号を処理する信号処理系と信号処理系を制御する制御系とがシステムバスで接続された構成になっている。信号処理系は、チューナ部１、復調部２、録画部３、デマルチプレクサ（ＤＭＰＸ）４、音声・映像デコーダ５、および番組情報処理部６で構成され、それぞれシステムバス７に接続されている。制御系は、ＣＰＵ８、プログラムＲＯＭ９、ワークＲＡＭ１０、ネットワークアダプタ１１、および赤外線受光部１２で構成され、それぞれシステムバス７に接続されている。
【００１９】
チューナ部１は、ＯＦＤＭ（直交周波数分割多重）で変調された地上波ディジタル放送をアンテナから受信し、ＣＰＵ８から与えられるチャンネル選択信号によって選択したチャンネルの地上波ディジタル放送の受信信号を復調部２に出力する。復調部２は、その地上波ディジタル放送の受信信号を復調して、録画部３およびデマルチプレクサ４に復調信号を出力する。録画部３は、ＣＰＵ８からの録画コマンドに応じて復調信号を内部のディスクに記録する。デマルチプレクサ４は、復調信号において多重化されているトランスポート・ストリームの音声・映像情報と番組情報とを分離して、音声・映像情報を音声・映像デコーダ５に出力し、番組情報を番組情報処理部６に出力する。音声・映像デコーダ５は、音声情報と映像情報とを分離するとともに、ＭＰＥＧ−２オーディオＡＣＣ（Advanced Audio Coding）で圧縮符号化された音声情報を復号化し、アナログ信号に変換してスピーカ（図示せず）に出力する。また、ＭＰＥＧ−２ビデオで圧縮符号化された映像情報を復号化し、ＮＴＳＣ、ＰＡＬ、ＳＥＣＡＭなどの標準の映像信号に変換してディスプレイ（図示せず）に出力する。
番組情報処理部６は、ＭＰＥＧ−２トランスポート・ストリームにおける標準化された伝送制御信号である番組特定情報（ＰＳＩ）のテーブルＩＤによって、番組アソシエーションテーブル（ＰＡＴ）、限定受信テーブル（ＣＡＴ）、番組対応テーブル（ＰＭＴ）、およびユーザ定義のネットワーク情報テーブル（ＮＩＴ）の内容を分析し、システムバス７を介してその分析結果をＣＰＵ８に出力する。
【００２０】
ＣＰＵ８は、システムバス７を介して、信号処理系の各部および制御系の各部との間でデータおよびコマンドの授受を行って、このテレビ受信装置全体を制御する。例えば、ＣＰＵ８は、赤外線受光部１２を介して受信した操作コマンドに応じて、チャンネル選択信号をチューナ部１に出力し、音量調整信号を音声・映像デコーダ５に出力する。あるいは、ＣＰＵ８は、番組情報処理部６から出力された限定受信テーブルの内容が視聴制限の放送である場合に、そのチャンネルが選択されたときは、その視聴制限を解除するキー情報（暗号情報）を取得しているならば、音声・映像デコーダ５に対してそのキー情報を出力して復号化を可能する。プログラムＲＯＭ９は、ＣＰＵ８によって実行される制御プログラム、および初期データをあらかじめ記憶している。ワークＲＡＭ１０は、ＣＰＵ８によって処理される各種のデータを一時的に記憶するエリアを有するとともに、制御プログラムの実行に必要な各種のレジスタ、フラグ、ポインタ（変数）のエリアを有する。ネットワークアダプタ１１は、テレビ放送の番組を管理するサーバ３００に対して視聴制限を解除するキー情報の要求やその他の情報を送信する。赤外線受光部１２は、リモコン（図示せず）又は携帯電話機４００からの操作によるコマンドやデータを担う赤外線を受光して、ＣＰＵ８によって処理できるディジタル信号に変換する。
【００２１】
次に、図２に示したテレビ受信装置１００の動作について、図３ないし図６に示すＣＰＵ８のフローチャートに基づいて説明する。
図３のフローチャートにおいて、所定のイニシャライズ（ステップＳＡ１）の後、赤外線受光部１２によってリモコン又は携帯電話機４００からコマンドを受信したか否かを判別する（ステップＳＡ２）。コマンドを受信したときは、そのコマンドに応じた処理を実行する。コマンドがテレビスイッチオンであるか否かを判別し（ステップＳＡ３）、テレビスイッチオンのコマンドである場合には、オンフラグＯＮＦを１にセットして（ステップＳＡ４）、受信部を起動する（ステップＳＡ５）。受信したコマンドがテレビスイッチオンでない場合には、そのコマンドがテレビスイッチオフであるか否かを判別する（ステップＳＡ６）。テレビスイッチオフのコマンドである場合には、ＯＮＦが１であるか否かを判別し（ステップＳＡ７）、ＯＮＦが１である場合には、受信部をオフにして（ステップＳＡ８）、ＯＮＦを０にリセットする（ステップＳＡ９）。
【００２２】
受信したコマンドがテレビスイッチオンでなくテレビスイッチオフでもない場合、又は、受信したコマンドがテレビスイッチオフであるがＯＮＦが０にリセットされている場合には、図４のフローチャートにおいて、受信したコマンドがチャンネル変更であるか否かを判別する（ステップＳＡ１０）。チャンネル変更のコマンドである場合には、ＯＮＦが１であるか否かを判別し（ステップＳＡ１１）、ＯＮＦが１である場合には、チューナ部１の受信周波数を変更する（ステップＳＡ１２）。次に、音声・映像デコーダ５が出力停止状態であるか否かを判別し（ステップＳＡ１３）、出力停止状態である場合には、音声・映像デコーダ５の動作を再開する（ステップＳＡ１４）。
【００２３】
ステップＳＡ１０において、受信したコマンドがチャンネル変更でない場合には、そのコマンドが録画を指令するものであるか否かを判別する（ステップＳＡ１５）。録画を指令するコマンドである場合には、ＯＮＦが１であるか否かを判別する（ステップＳＡ１６）。ＯＮＦが１である場合には、録画部３に対して復調部２からのデータを録画開始するように指示する（ステップＳＡ１７）。受信したコマンドが録画を指令するものでない場合には、そのコマンドが再生を指示するものであるか否かを判別する（ステップＳＡ１８）。再生を指示するコマンドである場合には、ＯＮＦが１であるか否かを判別し（ステップＳＡ１９）、ＯＮＦが１である場合には、録画部３に録画データが記録されているか否かを判別する（ステップＳＡ２０）。録画データが記録されている場合には、録画部３に対して記録されていたデータをデマルチプレクサ４に出力開始するように指示するとともに（ステップＳＡ２１）、復調部２からの出力を停止する。
【００２４】
受信したコマンドが再生を指令するものでない場合、又は、コマンドが再生を指令するものであってもＯＮＦが０である場合若しくは録画データがない場合には、図５のフローチャートにおいて、受信したコマンドが停止であるか否かを判別する（ステップＳＡ２２）。コマンドが停止である場合には、ＯＮＦが１であるか否かを判別し（ステップＳＡ２３）、ＯＮＦが１である場合には、録画部３に対して録画動作又は再生動作を停止するように指示する（ステップＳＡ２４）。
【００２５】
図３のステップＳＡ２においてコマンドを受信しない場合には、図６のフローチャートにおいて、ＯＮＦが１であるか否かを判別し（ステップＳＡ２５）、ＯＮＦが１である場合には、番組情報処理部６が視聴制限情報を検出したか否かを判別する（ステップＳＡ２６）。すなわち、番組特定情報の中に制限受信テーブルのＩＤを検出したか否かを判別する。視聴制限情報を検出したときは、音声・映像デコーダ５に対して動作を停止するように指示する（ステップＳＡ２７）。電源投入時又はチャンネル変更によって、視聴制限の番組が選択されたときは、ＣＰＵ８は、音声・映像デコーダ５から復号化されない音声情報および映像情報をノイズとしてスピーカおよびディスプレイに一時的に出力して、視聴制限の番組であることをユーザに知らせるが、その後、ステップＳＡ２７において音声・映像デコーダ５の動作を停止するように指示する。次に、ネットワークアダプタ１１を介して、検出された番組情報およびテレビ受信装置に固有の機種番号（「製造番号」とも称する）に基づきメールを作成する（ステップＳＡ２８）。そして、作成したメールをサーバ３００に送信する（ステップＳＡ２９）。
【００２６】
図５のフローチャートのステップＳＡ２２において、受信したコマンドが停止を指令するものでない場合、又は、受信したコマンドが停止を指令するものであっても、ステップＳＡ２３においてＯＮＦが０である場合には、受信したコマンドが携帯電話機４００からのキー情報であるか否かを判別する（ステップＳＡ３０）。コマンドがキー情報である場合には、そのキー情報が現在視聴している番組の視聴制限を解除するキー情報であるか否かを判別する（ステップＳＡ３１）。視聴制限のキー情報である場合には、図６のステップＳＡ２７において停止していた音声・映像デコーダ５の動作を再開する（ステップＳＡ３２）。この結果、視聴制限の番組の音声情報および映像情報が音声・映像デコーダ５によって復号化されて、スピーカおよびディスプレイによって音声および映像が出力される。
【００２７】
以上のように、実施形態におけるテレビ受信装置１００は、テレビ放送の符号化情報である音声情報および映像情報を受信するとともに、リモコン又は携帯電話機４００から送信される赤外線信号によってコマンドを受信する。そして、視聴制限の音声情報および映像情報を受信した場合には、携帯電話機４００から当該視聴制限を解除するキー情報のコマンドを受信した場合に、視聴制限の音声情報および映像情報を復号化して出力する。
したがって、個々のユーザが所有する携帯電話機４００からキー情報を取得して、そのユーザだけが視聴制限を解除して番組を視聴し、キー情報を取得していない他人が視聴制限の番組を視聴するのを禁止する。
【００２８】
また、実施形態におけるテレビ受信装置１００は、テレビ放送の番組を管理するサーバ３００に対して、この装置自体を特定する固有の機種番号および視聴制限の番組を指定する番組情報に対応するキー情報の取得要求を送信する。
したがって、視聴制限のキー情報を要求する通信経路とキー情報を受信する通信経路とを別にすることにより、取得するキー情報の秘匿性をより高くすることができる。
【００２９】
また、テレビ受信装置１００は、録画部３に記憶されている視聴制限の音声情報および映像情報に対して、リモコン又は携帯電話機４００から再生指令を受信したときは、携帯電話機４００から視聴制限を解除するキー情報のコマンドを受信した場合に、録画部３に記憶されている視聴制限の音声情報および映像情報を復号化して、スピーカおよびディスプレイに出力する。
したがって、個々のユーザが所有する携帯電話機からキー情報を取得して、そのユーザだけが視聴制限を解除して、録画部３に記憶されている番組を再生し、キー情報を取得していない他人が視聴制限の番組を再生するのを禁止する。
【００３０】
次に、図１の携帯電話機４００の動作について、図７ないし図１１のフローチャートおよび図１２、図１３の表示画面に基づいて説明する。
図７において、所定のイニシャライズ（ステップＳＢ１）の後、初期画面を表示する（ステップＳＢ２）。初期画面には、メール作成、アドレス帳、カレンダ、その他のアイコンスイッチが表示される。次に、メール作成スイッチがオンされたか否かを判別し（ステップＳＢ３）、このスイッチがオンされたときは、メール作成画面を表示する（ステップＳＢ４）。
【００３１】
メール作成画面には、送信相手のメールアドレスを入力するエリア、用件（サブジェクト）を入力するエリア、およびメールの内容を入力するエリア、送信スイッチのアイコン、およびクリアスイッチのアイコンが表示される。そして、１つの入力エリアにフォーカスする。次に、カーソルスイッチがオンされたか否かを判別し（ステップＳＢ５）、このスイッチがオンされたときは、フォーカスする入力エリアを変更する（ステップＳＢ６）。そして、データが入力されたか否かを判別し（ステップＳＢ７）、入力されたときは、そのデータをエリアに表示する（ステップＳＢ８）。
【００３２】
次に、送信スイッチがオンされたか否かを判別し（ステップＳＢ９）、このスイッチがオンされない場合には、クリアスイッチがオンされたか否かを判別する（ステップＳＢ１０）。このスイッチがオンされたときは、入力データをクリアして（ステップＳＢ１１）、ステップＳＢ２に移行して初期画面を表示する。クリアスイッチがオンされない場合には、ステップＳＢ５に移行して、カーソルスイッチのオンを判別する。ステップＳＢ９において、送信スイッチがオンされたときは、作成されたメールを送信する（ステップＳＢ１２）。この後は、ステップＳＢ２に移行して初期画面を表示する。
【００３３】
ステップＳＢ３においてメール作成スイッチがオンされない場合には、テレビ放送の番組を管理するサーバ３００のメールアドレスが入力されたか否かを判別する（ステップＳＢ１３）。サーバ３００のメールアドレスが入力されたときは、そのメールアドレスをアドレス帳に登録する（ステップＳＢ１４）。サーバ３００のメールアドレスが入力されない場合には、テレビ受信装置１００の機種番号が入力されたか否かを判別する（ステップＳＢ１５）。機種番号が入力されたときは、不揮発性メモリのエリアにその機種番号をストアする（ステップＳＢ１６）。機種番号が入力されない場合には他の処理を行う（ステップＳＢ１７）。ステップＳＢ１４、ステップＳＢ１６、又はステップＳＢ１７の処理の後は、ステップＳＢ２に移行して初期画面を表示する。
【００３４】
図８は、携帯電話機４００におけるメール受信処理の割込みのフローチャートである。メール受信があったときは、受信メールを受信ボックスにストアして（ステップＳＣ１）、着信報知を行う（ステップＳＣ２）。そして、スイッチによって着信停止操作がされたか否かを判別し（ステップＳＣ３）、この操作がされたときは着信報知を停止する（ステップＳＣ４）。次に、メール開封画面を表示し（ステップＳＣ５）、そのメール開封画面に視聴制限を解除するキー情報を含むか否かを判別する（ステップＳＣ６）。キー情報を含まない場合には、クリアスイッチがオンされたか否かを判別し（ステップＳＣ７）、このスイッチがオンされたときはメインルーチンに戻る。
【００３５】
メール開封画面にキー情報を含む場合には、図１２に示すように、視聴制限の番組を放送するテレビ局、視聴制限の番組情報とともに、「視聴」アイコンおよび「転送」アイコンを表示する（ステップＳＣ８）。そして、一方のアイコンの表示を強調する（ステップＳＣ９）。例えば、表示色を変更して強調する。次に、カーソルスイッチがオンされたか否かを判別し（ステップＳＣ１０）、このスイッチがオンされたときは、強調するアイコンを変更する（ステップＳＣ１１）。次に、クリアスイッチがオンされたか否かを判別（ステップＳＣ１２）、このスイッチがオンされたときはメインルーチンに戻る。
【００３６】
クリアスイッチがオンされない場合には、図９のフローチャートにおいて、決定スイッチがオンされたか否かを判別する（ステップＳＣ１３）。このスイッチがオンされたときは、強調表示しているアイコンが「視聴」又は「転送」のいずれであるかを判別する（ステップＳＣ１４）。強調アイコンが「視聴」である場合には、受信メール内にあるキー情報を取得して（ステップＳＣ１５）、そのキー情報を赤外線によってテレビ受信装置１００に送信する（ステップＳＣ１６）。一方、強調アイコンが「転送」である場合には、メール転送処理を実行する（ステップＳＣ１７）。
キー情報を赤外線によって送信した後、メール転送処理を実行した後、又は、ステップＳＣ１３において決定スイッチがオンされない場合には、図８のフローチャートのステップＳＣ１０においてカーソルスイッチのオンを判別する。
【００３７】
図１０および図１１は、メール転送処理のフローチャートである。図１０において、メール転送画面を表示する（ステップＳＤ１）。図１３にメール転送画面の例を示す。メール転送画面には、転送相手のリスト（図１３では、母、長男、次男、三男）、キー情報を転送するか又は転送しないかを選択するラジオボタン、「ＯＫ」スイッチのアイコン、「キャンセル」スイッチのアイコンが表示される。この画面において、任意のリストを強調表示する（ステップＳＤ２）。例えば、図１３の画面において母のリストを強調表示する。次に、カーソルスイッチがオンされたか否かを判別し（ステップＳＤ３）、このスイッチがオンされたときは強調表示のリストの位置を変更する（ステップＳＤ４）。
【００３８】
この後、又は、ステップＳＤ３においてカーソルスイッチがオンされない場合には、決定スイッチがオンされたか否かを判別する（ステップＳＤ５）。決定スイッチがオンされない場合にはステップＳＤ３においてカーソルスイッチのオンを判別するが、決定スイッチがオンされたときは、強調表示の位置がリストの１つであるか否かを判別する（ステップＳＤ６）。強調表示の位置がリストの１つである場合には、そのリストのラジオボタンを反転する（ステップＳＤ７）。例えば、図１３の画面において母のラジオボタン□を■に反転する。この後は、ステップＳＤ３においてカーソルスイッチのオンを判別する。強調表示の位置がリストでない場合には、強調表示の位置が「キャンセル」スイッチのアイコンであるか否かを判別する（ステップＳＤ８）。強調表示の位置がこのアイコンである場合には、表示をクリアして（ステップＳＤ９）、図８の受信処理に戻る。
【００３９】
強調表示の位置が「キャンセル」スイッチのアイコンでない場合には、図１１のフローチャートにおいて、強調表示の位置が「ＯＫ」スイッチのアイコンであるか否かを判別する（ステップＳＤ１０）。「ＯＫ」スイッチのアイコンは、メールを転送するリストが決定したときにオンされるスイッチである。強調表示の位置が「ＯＫ」スイッチのアイコンでない場合には図１０のステップＳＤ３に移行してカーソルスイッチのオンを判別するが、「ＯＫ」スイッチのアイコンである場合には、「転送する」のラジオボタンがオン（■）であるか、又は、「転送しない」のラジオボタンがオンであるかを判別する（ステップＳＤ１１）。「転送する」のラジオボタンがオンである場合には、リストのラジオボタンがオンの転送相手にキー情報を含む受信メールを転送する（ステップＳＤ１２）。一方、「転送しない」のラジオボタンがオンである場合には、リストのラジオボタンがオフの転送相手にキー情報を含む受信メールを転送する（ステップＳＤ１３）。受信メールを転送した後は、表示をクリアして（ステップＳＤ１４）、図８の受信処理のステップＳＣ１０に移行する。
【００４０】
以上のように、実施形態における携帯電話機４００は、テレビ放送の番組を管理するサーバ３００から視聴制限を解除するキー情報を受信したときは、テレビ受信装置１００に対してそのキー情報を赤外線によって送信する。
したがって、個々のユーザが所有する携帯電話機４００からキー情報を取得して、そのユーザだけが視聴制限を解除して番組を視聴し、キー情報を取得していない他人が視聴制限の番組を視聴するのを禁止する。
【００４１】
さらに、実施形態における携帯電話機４００は、受信したキー情報を他の携帯通信端末に転送する。
したがって、視聴制限を解除して番組を視聴できる相手を容易に取捨選択できるとともに、視聴制限の番組の視聴を禁止する相手に対しては、キー情報の転送の有無を知られずに済むという利点がある。
【００４２】
なお、上記実施形態においては、携帯電話機４００は、サーバ３００から受信したキー情報を赤外線の無線信号によってテレビ受信装置１００に送信する構成にしたが、キー情報を送信する無線信号は赤外線に限定されるものではない。例えば、赤外線と同様に、携帯電話機に搭載されるブルートゥース（Bluetooth）の無線信号によってキー情報を送信する構成も本発明の実施形態とすることができる。
また、キー情報を送信する携帯通信端末も携帯電話機４００に限定されるものではない。個々のユーザが所有するＰＨＳやＰＤＡ（Personal Digital Assistants）のような携帯電話機４００以外の無線通信端末によって、キー情報をテレビ受信装置１００に送信する構成も可能である。
【００４３】
図１４は、テレビ放送の番組を管理するサーバ２００の動作を示すフローチャートである。テレビ受信装置１００又は携帯電話機４００からメールを受信したか否かを判別し（ステップＳＥ１）、メールを受信しない場合には、他の処理を行う（ステップＳＥ２）。メールを受信したときは、そのメールが携帯電話機４００からの登録メールであるか否かを判別する（ステップＳＥ３）。登録メールである場合には、その登録メールに含まれている携帯電話機４００のメールアドレスおよびテレビ受信装置１００の機種番号をデータベースに登録する（ステップＳＥ４）。
【００４４】
受信メールが携帯電話機４００からの登録メールでない場合には、その受信メールがテレビ受信装置１００からのキー情報を要求するメールであるか否かを判別する（ステップＳＥ５）。キー情報を要求するメールである場合には、そのメールに含まれているテレビ受信装置１００の機種番号および番組名を取り出す（ステップＳＥ６）。次に、番組名に基づき視聴制限を解除するキー情報を検索する（ステップＳＥ７）。キー情報を検索した後は、テレビ受信装置１００の機種番号より携帯電話機４００のメールアドレスをデータベースから検索する（ステップＳＥ８）。次に、検索した携帯電話機４００のメールアドレスおよびキー情報によりメールを作成する（ステップＳＥ９）。そして、メールアドレスの携帯電話機４００に対して作成したメールを送信する（ステップＳＥ１０）。この後は、ステップＳＥ１に移行してメール受信の有無を判別する。
【００４５】
このように、実施形態のサーバ３００は、テレビ受信装置１００を特定する固有の機種番号、テレビ放送の視聴制限の番組名、視聴制限を解除するキー情報の要求、および携帯電話機４００のメールアドレスを受信した場合には、携帯電話機４００に対してキー情報を送信する。
したがって、キー情報を取得したユーザのみによって視聴制限を解除することができ、キー情報を取得していない他人が視聴制限の番組を視聴するのを禁止できる。
【００４６】
上記実施形態のテレビ受信装置１００においては、プログラムＲＯＭ９にあらかじめ記憶された制御プログラムをＣＰＵ８が実行する装置の発明について説明したが、フレキシブルディスク（ＦＤ）、ＣＤ、ＭＤなどの記憶媒体に記録されている制御プログラム、又は、インターネットなどのネットワークからダウンロードした制御プログラムをテレビ受信装置の不揮発性のフラッシュメモリなどにインストールして、その制御プログラムをＣＰＵ８が実行することも可能である。この場合には、テレビ受信装置に利用する制御プログラムの発明やその制御プログラムを記録した記録媒体の発明を実現できる。
【００４７】
すなわち、本発明によるテレビ受信装置の制御プログラムは、
テレビ放送の符号化情報を受信する第１のステップと、所定の操作手段又は携帯通信端末から送信される無線信号によってコマンドを受信する第２のステップと、前記第１のステップによって視聴制限の符号化情報が受信された場合には、前記第２のステップによって前記携帯通信端末から当該視聴制限を解除する暗号情報のコマンドを受信した場合に、当該受信された視聴制限の符号化情報を復号化して出力する第３のステップと、を実行する。
【００４８】
この場合において、テレビ放送の番組を管理する番組管理システムに対してテレビ受信装置自体を特定する固有の識別情報および視聴制限の番組を指定する番組情報に対応する暗号情報の取得要求を送信する第４のステップをさらに実行する。
【００４９】
あるいは、この場合において、前記第３のステップは、所定の記憶手段に記憶されている視聴制限の符号化情報に対して前記操作手段又は前記携帯通信端末から再生指令を受信したときは、前記第２のステップによって前記携帯通信端末から当該視聴制限を解除する暗号情報のコマンドを受信した場合に、前記記憶手段に記憶されている視聴制限の符号化情報を復号化して出力する。
【００５０】
また、上記実施形態の携帯電話機４００においては、内部のプログラムＲＯＭにあらかじめ記憶された制御プログラムをＣＰＵなどの制御手段が実行する装置の発明について説明したが、メモリカードなどの記憶媒体に記録されている制御プログラム、又は、インターネットなどのネットワークからダウンロードした制御プログラムを携帯電話機のＣＰＵが実行することも可能である。この場合には、テレビ放送の受信に利用する携帯電話機の制御プログラムの発明やその制御プログラムを記録した記録媒体の発明を実現できる。
【００５１】
すなわち、本発明による携帯通信端末の制御プログラムは、
テレビ放送の番組を管理する番組管理システムから視聴制限を解除する暗号情報を受信する第１のステップと、前記第１のステップによって前記暗号情報が受信されたときは、テレビ受信装置に対して前記暗号情報を送信する第２のステップと、を実行する。
この場合において、前記第１のステップによって前記暗号情報が受信されたときは、他の携帯通信端末に対して前記暗号情報を転送する第３のステップをさらに実行する。
【００５２】
図１に示したサーバ３００によって、テレビ放送の番組管理方法の発明を実現することができる。すなわち、テレビ受信装置を特定する固有の識別情報、テレビ放送の視聴制限の番組情報、当該視聴制限を解除する暗号情報の要求、および携帯通信端末のメールアドレス情報を受信した場合には、当該携帯通信端末に対して当該暗号情報を送信する。
【図面の簡単な説明】
【００５３】
【図１】本発明の全体システムの構成を示す図。
【図２】図１におけるテレビ受信装置の内部構成を示すブロック図。
【図３】図２におけるＣＰＵのメインルーチンのフローチャート。
【図４】図３に続くＣＰＵのメインルーチンのフローチャート。
【図５】図４に続くＣＰＵのメインルーチンのフローチャート。
【図６】図３に続くＣＰＵのメインルーチンのフローチャート。
【図７】図１における携帯電話機のメインルーチンのフローチャート。
【図８】携帯電話機のメール受信処理のフローチャート。
【図９】図８に続く携帯電話機のメール受信処理のフローチャート。
【図１０】図９におけるメール転送処理のフローチャート。
【図１１】図１０に続くメール転送処理のフローチャート。
【図１２】携帯電話機のメール開封画面を示す図。
【図１３】携帯電話機のメール転送画面を示す図。
【図１４】図１のサーバの動作を示すフローチャート。
【符号の説明】
【００５４】
１  チューナ部
２  復調部
３  録画部
４  デマルチプレクサ
５  音声・映像デコーダ
６  番組情報処理部
７  システムバス
８  ＣＰＵ
９  プログラムＲＯＭ
１０  ワークＲＡＭ
１１  ネットワークアダプタ
１２  赤外線受光部
１００  テレビ受信装置
２００  インターネット
３００  サーバ
４００  携帯電話機
【図１】
2006173944.tif 000003
【図２】
2006173944.tif 000004
【図３】
2006173944.tif 000005
【図４】
2006173944.tif 000006
【図５】
2006173944.tif 000007
【図６】
2006173944.tif 000008
【図７】
2006173944.tif 000009
【図８】
2006173944.tif 000010
【図９】
2006173944.tif 000011
【図１０】
2006173944.tif 000012
【図１１】
2006173944.tif 000013
【図１２】
2006173944.tif 000014
【図１３】
2006173944.tif 000015
【図１４】
2006173944.tif 000016